【事件の表示】
　特願２００８−１５７６７７号「冷輻射パネル構造体および冷輻射パネルを用いた建物」拒絶査定不服審判事件〔平成２１年１２月２４日出願公開、特開２００９−３０００５０号〕について、次のとおり審決する。
【結　論】
　本件審判の請求は、成り立たない。
【理　由】
１．手続の経緯 
　本願は、平成２０年６月１７日の出願であって、平成２４年１２月２５日付けで拒絶査定がなされ、これに対して、平成２５年４月８日付けで拒絶査定不服審判の請求がなされたものである。
　
２．本願発明
　本願の特許請求の範囲の請求項１ないし４に係る発明は、平成２４年１２月３日付け手続補正により補正された明細書、特許請求の範囲及び図面の記載からみて、その特許請求の範囲の請求項１ないし４に記載されたとおりのものであると認められるところ、請求項１に係る発明（以下「本願発明」という。）は、以下のとおりである。
「冷輻射を利用して少なくともその表面側の空間を冷房する冷輻射パネルを少なくともその一部に用いて構成され、建物に設置される冷輻射パネル構造体であって、
　前記冷輻射パネルは、
　　セメントを硬化させたセメントゲルによって板状に形成される本体、
　　前記本体の中に形成されて、供給された水を保持する貯水部、
　　前記貯水部から前記本体の表面に延びる毛細管部、および
　　前記貯水部から前記本体の表面に延びる、かつ前記毛細管部より太い径を有する通水管部を備え、
　前記冷輻射パネルの前記本体の表面が前記建物内部を向くように配置される、冷輻射パネル構造体。」
　
３．引用例
　これに対して、原査定の拒絶理由に引用された本願出願前に頒布された刊行物である特開平７−３５３７１号公報（以下「引用例１」という。）及び国際公開第２００６／１２９８３８号（以下「引用例２」という。）には、それぞれ以下の各事項が記載されている。
　
［引用例１について］
（１ａ）「【請求項２】  多孔質材料からなり上面が床面に形成された床材を敷設し、
前記床材の下部に水を通過させ、
前記床材の下部を流れる水を毛細管現象により前記床材に浸透させ、
前記床材に浸透した水で前記床面上の空気を冷房するようにした、
ことを特徴とする床上冷房方法。」
　
（１ｂ）「【０００１】
【産業上の利用分野】本発明は、床上の空気を冷房する方法に関し、特に、高温で湿度が低い場所で有効な床上冷房方法に関するものである。
【０００２】
【従来の技術】例えば中近東地域や砂漠地帯等は一年間を通じて気温が高く、それらの地域の人々は、屋内屋外を問わず、酷暑の中で生活することを余儀なくされている。このため、従来から提供されているエアーコンディショナー等の装置を用いて空気冷房を行い、上述したような地域でも快適に過ごせるようにすることが考えられる。」
　
（１ｃ）「【０００８】図２は図１の矢印Ｂ方向から見た前記家屋１の概略構成図であり、これに示すように前記家屋１は床１３を備え、該床１３は床材１５を前後左右に多数並べて構成されている。前記各床材１５は図３に示すように、例えば素焼きのレンガ等、微小な孔（図示せず）が縦横に形成された多孔質セラミックスからなり、正方形の上面１５０１及び底面１５０３と、これら上面１５０１及び底面１５０３を連絡する４つの側面１５０５とで平板状に形成され、該床材１５の対向する一対の側部１５０５間には、床材１５の厚さ及び幅方向の略々中間箇所を貫通して通水孔１５０７が形成されている。」
　
（１ｄ）「【００１３】このように本実施例によれば、家屋１の床１３を構成する多数の床材１５の中に通水孔１５０７を形成して海水３を流し、該海水３を毛細管現象により床材１５の全体に浸透させ、海水の冷たさで床材１５を冷やすと共に、床材１５に浸透し該床材１５の上面１５０１に達した一部の海水３を、該上面１５０１の上方の空気との温度差で蒸発させるようにしたので、前記床材１５を媒質とする低輻射や、前記海水３の蒸発により気化熱を前記上面１５０１の上方の空気から奪うことで、前記家屋１内の空気の温度を下げることができ、従来の冷房装置に比べて電源等を特に必要とせず、ランニングコストを殆どかけずに空気冷房を行うことができる。・・・」
　
（１ｅ）「【００１４】尚、前記各床材１５に設ける通水孔１５０７は複数であってもよい。また、本実施例では、各床材１５の中に海水３を流すものとしたが、例えば図５に示すように床材１５の底面１５０３に格子状或は縞模様状の凹溝１５０９を設けたり、図６に示すように床材１５の底面１５０３の四隅に脚部１５１１を突設し、それら凹溝１５０９の中や脚部１５１１の間に海水３を流すようにしてもよい。さらに、床材１５は多孔質セラミックスに限らず、撓み等の問題がない限り木材等であってもよく、或は、微細な孔を有する多孔質材料であればその他の材料で構成してもよい。」
　
（１ｆ）「【００１７】さらに、本実施例では、海水を用いて冷房する場合について説明したが、海水に代えて上水や中水、河川の水等を用いてもよく、また、本発明方法は、実施例で示したような家屋内の空気を冷房する場合に限らず、屋外の仮設ステージ等の床上の冷房等にも適用可能であることは言うまでもない。」
　
　以上の記載によると、引用例１には、
「家屋の床において、
　前記床は、床材を前後左右に多数並べて構成され、
　各床材は、多孔質材料からなり、正方形の上面及び底面と、これら上面及び底面を連絡する４つの側面とで平板状に形成され、
　前記床材の下部に水を通過させ、前記床材の下部を流れる水を毛細管現象により前記床材に浸透させ、
　床材を媒質とする低輻射や、前記水の蒸発により気化熱を前記上面の上方の空気から奪うことで、家屋内の空気の温度を下げる家屋の床。」の発明（以下「引用発明」という。）が記載されていると認められる。
　
［引用例２について］
（２ａ）「技術分野
　この発明は、保水性成形体およびその製造方法に関し、特にたとえば、建物の外壁材、屋根材、外壁材若しくは屋根材などの外装材、またはその被覆材、あるいは道路、公園または駐車場などの舗装材に用いられ、供給された水分を内部に吸収および保持し、かつその水分を表面から蒸発する、保水性成形体およびその製造方法に関する。」（第１頁４〜８行参照）
　
（２ｂ）「請求項１の発明では、保水性成形体（１０：実施例において相当する部分を例示する参照符号。以下同じ。）は板状ブロック（１２）を備える。板状ブロック（１２）はセメントを硬化させたセメントゲル（１９）により作成され、板状ブロック（１２）の中に貯水部分（１６）、毛細管部分（２２、２４、３２）および通水孔部分（３０）が形成される。この毛細管部分（２２、２４、３２）および通水孔部分（３０）は、貯水部分（１６）から板状ブロック（１２）の表面（１８、３４）に延びて、表面（１８、３４）に開口している。」（第２頁１９〜２５行参照）
　
（２ｃ）「このような表面（１８、３４）に水分を供給すると、水分は、毛細管部分（２２、２４、３２）および通水孔部分（３０）への付着力と重力とにより表面（１８、３４）から毛細管部分（２２、２４、３２）および通水孔部分（３０）へ浸入し、毛細管部分（２２、２４、３２）および通水孔部分（３０）を通って貯水部分（１６）に達し、貯水部分（１６）で保持される。この吸水の際、水分は、毛細管部分（２２、２４）に吸収されるだけでなく、毛細管部分（２２、２４、３２）より太い通水孔部分（３０）にも吸収されるため、保水性成形体（１０）は優れた吸水性を発揮し、さらにこの水分が、貯水部分（１６）に保持されるため、保水性成形体（１０）は優れた保水性を発揮する。
　また、日射などの放射が表面（１８、３４）に当たると、表面（１８、３４）の上の水分が蒸発し、次に、その下で毛細管部分（２２、２４、３２）に保持された表面近傍の水分が蒸発し、それに伴い貯水部分（１６）の水分が毛細管現象および拡散により毛細管部分（２２、２４、３２）に引き込まれる。そして、水分は表面（１８、３４）に向かって毛細管部分（２２、２４、３２）の中を伝播し、表面（１８、３４）へ補充されて蒸発する。この結果、放射エネルギーの多くは水分を蒸発させる気化の潜熱に変わることにより、表面（１８、３４）の温度が上がらないため、保水性成形体（１０）は表面温度上昇抑制効果を発揮する。また、貯水部分（１６）には多くの水分が保持されて、この水分が表面（１８、３４）に順次補充されるため、保水性成形体（１０）は表面温度上昇抑制効果を持続することができる。」（第２頁２６行〜第３頁８行参照）
　
（２ｄ）「よって、保水性成形体１０を歩道に敷いても、菌によるぬめりや悪臭などが発生しないため、歩行者などは安全かつ衛生的に保水性成形体１０の上を歩くことができる。」（第２０頁１４〜１６行参照）
　
（２ｅ）「請求の範囲
１．セメントを硬化させたセメントゲルによって作られ、かつ表面を有する板状ブロック、
　前記板状ブロックの中に形成される貯水部分、
　前記板状ブロックの中に形成され、前記貯水部分から前記表面に延びる毛細管部分、および
　前記板状ブロックの中に形成され、前記貯水部分から前記表面に延び、かつ前記毛細管部分より太い通水孔部分を備える、保水性成形体。」（第２６頁１〜７行参照）
　
　以上の記載によると、引用例２には、
「セメントを硬化させたセメントゲルによって作られ、かつ表面を有する板状ブロック、前記板状ブロックの中に形成される貯水部分、前記板状ブロックの中に形成され、前記貯水部分から前記表面に延びる毛細管部分、および前記板状ブロックの中に形成され、前記貯水部分から前記表面に延び、かつ前記毛細管部分より太い通水孔部分を備える、保水性成形体。」が記載されている。
　
４．対比
　本願発明と引用発明とを対比すると、
　引用発明の「家屋」は、本願発明の「建物」に相当し、
　引用発明の「床材」は、平板状に形成され、その「上面」は本願発明でいう本体の「表面」に相当し、低輻射や水の蒸発により気化熱を上面の上方の空気から奪うことで家屋内の空気の温度を下げるものであるので、本願発明の冷輻射を利用して少なくともその表面側の空間を冷房する「冷輻射パネル」といえ、また、床材であるので、その「上面」は、家屋の内部を向くように設置されていることは明らかであり（なお、本願発明においても、明細書の段落【０００７８】、【００８２】、【００８５】等にも記載されているように、床への設置を排除するものではない。）、
　そして、前後左右に多数並べられた床材は、本願発明でいう「構造体」を形成する。
　よって、両者は、
「冷輻射を利用して少なくともその表面側の空間を冷房する冷輻射パネルを少なくともその一部に用いて構成され、建物に設置される冷輻射パネル構造体であって、
　前記冷輻射パネルの本体の表面が前記建物内部を向くように配置される、冷輻射パネル構造体。」
　である点で一致し、以下の点で相違する。
　
　相違点；本願発明では、冷輻射パネルが、セメントを硬化させたセメントゲルによって板状に形成される本体、前記本体の中に形成されて、供給された水を保持する貯水部、前記貯水部から前記本体の表面に延びる毛細管部、および前記貯水部から前記本体の表面に延びる、かつ前記毛細管部より太い径を有する通水管部を備えているのに対し、引用発明では、床材が、多孔質材料からなり、平板状に形成されているものの、その本体の材質及び多孔質の具体的な構造は特定されていない点。
　
５．判断
　上記相違点について検討すると、
　引用例２に記載された「保水性成形体」は、セメントゲルによって板状に形成され、貯水部分、毛細管部分及び通水孔部分を備える構造を有し、水分を蒸発させる気化の潜熱に変わることによる表面温度上昇抑制効果を有するものであり（記載事項（２ｃ）参照）、その材質、構造及び効果からみて、上記相違点に係る本願発明の「冷輻射パネル」に相当する。そして、引用例２に記載された「保水性成形体」は、吸水性及び保水性が優れたものでもある（記載事項（２ｃ）参照）。
　また、引用発明において、砂漠地帯等では、十分な水の供給量を確保できない場合での使用も当然に予想されることから、水の蒸発による気化熱を利用する引用発明の「多孔質材料」において、水を有効に利用するために吸水性及び保水性が優れた材料を選択する必要性も、当業者が容易に想到し得た事項である。
　さらに、引用例２には、「保水性成形体」を歩道に敷き、歩行者がその上を歩く使用形態についても記載されている（記載事項（２ｄ）参照）ことから、「保水性成形体」の人が立ったり歩いたりする床への使用が可能であることが示唆されているものといえる。
　よって、引用発明において、多孔質材料からなる床材として、吸水性及び保水性が優れたものである引用文献２に記載された「保水性成形体」を採用し、上記相違点に係る本願発明のようになすことは、当業者が容易になし得たことである。
　
　したがって、本願発明は、引用発明及び引用例２に記載された発明に基づいて、当業者が容易に発明をすることができたものである。
　
　なお、請求人は、審判請求書において、引用例１（審判請求書の記載は「引例３」）の発明は、表面側も裏面側もない多孔質材料を湿潤させるもので、多孔質材料の表面側をどちら側に向けるかという発想は生じ得ない旨の主張をしているが、本願発明において、「冷輻射パネル」は、表面側と裏面側との差があるものとして特定されていないことより、上記主張は、特許請求の範囲の記載に基づかないものである。
　
６．むすび
　以上のとおり、本願発明は、特許法第２９条第２項の規定により特許を受けることができないものであるから、本願は、他の請求項に係る発明について検討するまでもなく、拒絶をすべきものである。
　よって、原査定は妥当であり、結論のとおり審決する。